(57)【特許請求の範囲】
【請求項１】
床上を転動可能なテーブル本体と、このテーブル本体に繰出可能に巻装した用紙とを具備してなり、前記テーブル本体が、天板面となり得る平面を複数備えており、それらの平面を覆うように前記用紙が巻装されていることを特徴とするテーブル。
【請求項２】
前記テーブル本体が、周囲に４枚の平面を備えた筒状をなし、内部に収容空間を有したものである請求項１記載のテーブル。
【請求項３】
前記テーブル本体が、４枚の平面と、それら平面同士を滑らかに連続させる４枚のコーナー曲面とを備えたものである請求項２記載のテーブル。
【請求項４】
前記用紙の両側の耳と前記テーブル本体の両端面とがほぼ合致するように設定されている請求項１、２または３記載のテーブル。
【発明の詳細な説明】
【技術分野】
【０００１】
本発明は、テーブル本体に用紙を繰出可能に装着したテーブルに関する。
【背景技術】
【０００２】
従来、この種のテーブルとして、筆記可能なテーブル本体の一端側から繰り出した用紙を他端側で巻き取るようにしたものが知られている（例えば、特許文献１を参照）。
【０００３】
ところで、幼い子供は、机の上や床等、広い範囲にわたって落書きをすることに興味があるが、このような場所に落書きをすると掃除が大変であることは言うまでもない。そのため、次々と新しいキャンバス、すなわちテーブル本体上に用紙が次々と繰り出される特許文献１のようなテーブルは、子供にとっては非常に魅力的である。しかしながら、用紙の両端側をローラで支持しているため、用紙を繰り出す作業が子供にとっては難しいという問題がある。
【先行技術文献】
【特許文献】
【０００４】
【特許文献１】実開平１−７０５９５号公報
【発明の概要】
【発明が解決しようとする課題】
【０００５】
本発明は、簡単な作業で用紙を繰り出すことができるテーブルを提供することを目的としている。
【課題を解決するための手段】
【０００６】
本発明は、以上のような課題を解決するために、次のような構成を採用したものである。すなわち、本発明に係るテーブルは、床上を転動可能なテーブル本体と、このテーブル本体に繰出可能に巻装した用紙とを具備してなることを特徴とする。
【０００７】
ここで、「テーブル本体」とは、一般筆記、製図、図画等の作業ができるように、用紙を裏当て支持する面があればどのようなものであってもよい。この作業には、貼付その他の作業も含まれる。
【０００８】
また、「用紙」とは、シート状になっているものであれば、どのようなものであってもよく、紙製のものの他、プラスチック製や金属製のものも含まれる。
【０００９】
このようなものであれば、床上を転動させるという非常に簡単な作業で用紙を繰り出すことができ、次々と新しい面を使って一般筆記、製図、図画等の作業を行うことができる。
【００１０】
テーブル本体が、天板面となり得る平面を複数備えており、それらの平面を覆うように前記用紙が巻装されている。
【００１１】
具体的には、テーブル本体が、周囲に４枚の平面を備えた筒状をなし、内部に収容空間を有したものが好ましい。
【００１２】
テーブル本体が、４枚の平面と、それら平面同士を滑らかに連続させる４枚のコーナー曲面とを備えたものであれば、コーナー曲面の存在により容易に転動させることができる。
【００１３】
具体的な一態様としては、用紙の両側の耳とテーブル本体の両端面とがほぼ合致するように設定されているものが好ましい。
【発明の効果】
【００１４】
以上説明したように本発明によれば、簡単な作業で用紙を繰り出すことができるテーブルを提供することができる。
【図面の簡単な説明】
【００１５】
【図１】本発明の一実施形態を示すテーブルの正面図。
【図２】同実施形態のテーブルの平面図。
【図３】同実施形態のテーブルの使用方法を説明する説明図。
【図４】同実施形態のテーブルの使用方法を示す図。
【図５】同実施形態のテーブルの使用方法を示す図。
【発明を実施するための形態】
【００１６】
以下、本発明の一実施形態について図１〜図５を参照して説明する。
【００１７】
このテーブル１は、図１〜図５に示すように、床Ｆ上を転動可能なテーブル本体２と、このテーブル本体２に繰出可能に巻装した用紙３とを具備してなる。
【００１８】
テーブル本体２は、図１〜図５に示すように、強度を有した厚紙製のもので、天板面２０となり得る平面２７、２８、２９を複数備えている。詳述すれば、テーブル本体２は、周囲に４枚の平面２７、２８、２９を備えた筒状をなし、内部に収容空間２４を有したものである。さらに具体的には、テーブル本体２は、４枚の平面２７、２８、２９と、それら平面２７、２８、２９同士を滑らかに連続させる４枚のコーナー曲面２５とを備えたものである。すなわち、このテーブル本体２は、床Ｆ上に配されたベース板２３と、このベース板２３の左右両端部から前記コーナー曲面２５を介してそれぞれ上方に立設された左右の脚板２２と、これら脚板２２の上端部から前記コーナー曲面２５を介して前記脚板２２間を繋ぐように設けられた前記天板２１とを備えており、各天板２１、左右の脚板２２及びベース板２３の外面にそれぞれ前記平面２７、２８、２９が形成されている。このテーブル本体２は、天板２１とベース板２３とが平行に配されているとともに、左右の脚板２２同士が平行に配されており、天板２１、脚板２２及びベース板２３は、同一形状及び同一寸法をなしている。この実施形態では、幼い子供でも容易に天板面２０に図画ができるとともに、床Ｆ上を容易に転動させることができるように、テーブル本体２の縦幅寸法、横幅寸法及び高さ寸法をそれぞれ、３００ｍｍ、２６０ｍｍ、２６０ｍｍに設定している。
【００１９】
用紙３は、図１〜図５に示すように、紙製のもので、筆記面３１を外側にして前記テーブル本体２の平面２７、２８、２９を覆うように巻装されている。具体的には、この用紙３は、前記テーブル本体２を複数回にわたってロール状に巻くことができる長尺状のもので、その幅寸法は、用紙３の両側の耳３２とテーブル本体２の両端面２６とがほぼ合致するように設定されている。
【００２０】
以上に述べたように、本実施形態に係るテーブル１は、床Ｆ上を転動可能なテーブル本体２と、このテーブル本体２に繰出可能に巻装した用紙３とを具備してなるので、床Ｆの上でテーブル本体２を転がすという簡単な作業で用紙３を繰り出すことができる。そして、新たな平面２７、２８、２９を天板面２０として使用することができる。このテーブル１は、テーブル１自体に直接絵をかいている感覚が得られ、机の上に落書きをしたいという子供の欲求に応えることができる。さらに、このテーブル１は、図５に示すように、用紙３の端を引っ張ることでテーブル本体２が転がり、テーブル本体２を転がすことで新しい用紙３が出てくるので、テーブル本体２を転がすという動作が子供の好奇心をくすぐることとなる。
【００２１】
テーブル本体２は、天板面２０となり得る平面２７、２８、２９を複数備えており、それらの平面２７、２８、２９を覆うように前記用紙３が巻装されているので、テーブル本体２を転がして複数の態様で使用することができる。特に、用紙３が長尺なものであるため、用紙３を連続的に使用することができる。
【００２２】
テーブル本体２は、周囲に４枚の平面２７、２８、２９を備えた筒状をなし、内部に収容空間２４を有したものであるので、天板面２０が常に床Ｆ面と水平となり筆記作業を行いやすい。また、テーブル本体２が中空状のものであるため、テーブル１の総重量をあまり大きくしすぎることなく、幼い子供でも簡単に転がすことができる。また、この収容空間２４には、図１及び図３に示すように、テーブル１から切り取った用紙片Ｐや、お絵かき道具Ｄを収容しておくことができる。
【００２３】
テーブル本体２が、４枚の平面２７、２８、２９と、それら平面２７、２８、２９同士を滑らかに連続させる４枚のコーナー曲面２５とを備えたものであるので、図画の際には平面２７、２８、２９を利用して描きやすく、転がす際にはコーナー曲面２５を利用して転がりやすい。
【００２４】
また、用紙３の両側の耳３２とテーブル本体２の両端面２６とがほぼ合致するように設定されているので、テーブル本体２と用紙３が一体化しやすい。すなわち、用紙３の耳３２付近を使用してもテーブル本体２によりしっかり裏当て支持され、また、用紙３の耳３２付近からテーブル本体２の平面２７、２８、２９が露出することがないため、誤ってテーブル本体２に描いてしまうことも抑制できる。
【００２５】
なお、本発明は以上に述べた実施形態に限られない。
【００２６】
テーブル本体の材質はどのようなものであってもよく、例えば、紙製、木製、プラスチック製、金属製のもの等が考えられる。また、テーブル本体の大きさや形状についても、上述したものに限られない。テーブル本体の形状については、具体的には、円柱状、三角柱状、その他の多角柱状のものが挙げられる。すなわち、本発明の天板面とは、水平面に限られず、湾曲面や傾斜面も含む概念である。さらに、テーブル本体の形状については、収容空間がない中実なものや、内部に形成された空間を塞ぐような面をさらに備えたものであってもよい。収容空間は、図１に示すような態様で用いてもよいし、該収容空間を上方に開放させて用いてもよい。
【００２７】
用紙は、転がした際に繰出可能なものであれば、内側に粘着剤が塗布されたものであってもよい。このようなものであれば、用紙に一定以上の力がかかった場合にのみ用紙が繰り出されるようにすることができるので、持ち運び時や使用時のテーブル本体への巻き付け状態を保持することができる。
【００２８】
その他、本発明の趣旨を損ねない範囲で種々に変更してよい。
【符号の説明】
【００２９】
１…テーブル
２…テーブル本体
２０…天板面
２４…収容空間
２５…コーナー曲面
２６…端面
２７、２８、２９…平面
３…用紙
３２…耳
【図１】
0005891692.tif 000002
【図２】
0005891692.tif 000003
【図３】
0005891692.tif 000004
【図４】
0005891692.tif 000005
【図５】
0005891692.tif 000006